(57)【要約】【課題】ガスコンロの天板を平面化することで、清掃の容易性と外観性を改善すること、その際に、直火加熱の加熱効率を高めること、ガスコンロの使用環境を悪化させること無く、使用快適性を得る。【解決手段】ガスコンロ１は、平板状の天板２と、天板２に突出した炎孔部３０を備えるバーナー３と、天板２上に配置され被加熱物の底面部を支持する五徳４とを備え、炎孔部３０は、天板２の後方側に向いた炎孔３０Ａと被加熱物の底面部を支持する支持部３０Ｃを有し、支持部３０Ｃが天板２と面一の状態で収納自在であり、五徳４は、炎孔部３０の後方の設定位置に着脱自在に取り付けられる。【選択図】図１
2015124916.tif 000002
【特許請求の範囲】
【請求項１】
平板状の天板と、該天板に突出した炎孔部を備えるバーナーと、前記天板上に配置され被加熱物の底面部を支持する五徳とを備え、
前記炎孔部は、前記天板の後方側に向いた炎孔と被加熱物の底面部を支持する支持部を有し、該支持部が前記天板と面一の状態で収納自在であり、
前記五徳は、前記炎孔部の後方の設定位置に着脱自在に取り付けられることを特徴とするガスコンロ。
【請求項２】
前記天板は非磁性体で形成され、前記五徳には磁石が設置され、前記天板の設定位置には磁性体が設置されていることを特徴とする請求項１記載のガスコンロ。
【請求項３】
前記五徳は、左右一対の五徳体を備え、
前記炎孔部の支持部と前記五徳体は、前記天板から一定高さの支持面を備えることを特徴とする請求項１又は２記載のガスコンロ。
【請求項４】
前記左右一対の五徳体は、平面視が湾曲形状であり、平面視外向き凸の取り付け状態と平面視内向き凸の取り付け状態を置換できるように、２点で前記天板の設定位置に取り付けられていることを特徴とする請求項３記載のガスコンロ。
【請求項５】
前記左右一対の五徳体は、前記炎孔部が形成する火炎の燃焼排気を前記天板の後方側に導く側面を有することを特徴とする請求項３又は４記載のガスコンロ。
【請求項６】
前記左右一対の五徳体の後端間には、前記燃焼排気を前記天板の後方側に送る開放口が形成されていることを特徴とする請求項５記載のガスコンロ。
【発明の詳細な説明】
【技術分野】
【０００１】
本発明は、ガスコンロに関するものである。
【背景技術】
【０００２】
ガスコンロは、一般に、本体の天板上にバーナーの炎孔部を突出させて設け、その周囲に被加熱物の底（鍋底など）を支持する五徳を配置する構造を備えている。五徳は、通常天板に対して取り外し自在に設けられ、天板には五徳を一定の位置に保持するための凹凸部が設けられている。
【０００３】
このようなガスコンロは、天板の上面にバーナー炎孔部の突出や五徳を保持するための凹凸があるため、煮こぼれなどで天板が汚れた場合の清掃を簡易に行うことができない問題がある。これに対しては、下記特許文献１に示した従来技術のように、天板を平面状にする提案がなされている。この従来技術は、天板に開口した加熱口を設け、天板の下方にバーナーの炎孔を配置し、加熱口を閉鎖可能に形成された蓋部材を設け、この蓋部材の姿勢を加熱口が開口される姿勢と加熱口が閉鎖される姿勢とを択一的に切換可能にしたものが示されている。
【先行技術文献】
【特許文献】
【０００４】
【特許文献１】特開２００２−２１３７４９号公報
【発明の概要】
【発明が解決しようとする課題】
【０００５】
前述した従来技術は、加熱口を蓋部材で閉鎖することで、天板を平面状にすることが可能になる。しかしながら、バーナーの炎孔を天板の下に配置して加熱口を介して燃焼ガスを上方に排出しているので、炎孔から被加熱物の底までの距離をある程度大きくせざるを得なくなり、火炎の最も温度が高い部分を被加熱物の底に当てることができず直火加熱の加熱効率を十分に高めることができない問題がある。また、燃焼ガスの排出方向が必然的に鉛直上向きになるので、被加熱物の底に当たった燃焼ガスが周囲３６０°に拡がることになり、燃焼ガスの排気がガスコンロの周囲に拡がると共に、火炎の輻射熱がガスコンロの周囲に伝搬して、ガスコンロの使用環境を悪化させる問題がある。特に、使用者が立つガスコンロの前方側にも燃焼排気や輻射熱が拡がるので、使用者が快適にガスコンロを使用することができない問題が生じる。
【０００６】
本発明は、このような問題に対処することを課題の一例とするものである。すなわち、ガスコンロの天板を平面化することで、清掃の容易性と外観性を改善すること、その際に、直火加熱の加熱効率を高めること、ガスコンロの使用環境を悪化させること無く、良好な使用快適性を得ること、などが本発明の目的である。
【課題を解決するための手段】
【０００７】
このような目的を達成するために、本発明によるガスコンロは、以下の構成を少なくとも具備するものである。
平板状の天板と、該天板に突出した炎孔部を備えるバーナーと、前記天板上に配置され被加熱物の底面部を支持する五徳とを備え、前記炎孔部は、前記天板の後方側に向いた炎孔と被加熱物の底面部を支持する支持部を有し、該支持部が前記天板と面一の状態で収納自在であり、前記五徳は、前記炎孔部の後方の設定位置に着脱自在に取り付けられることを特徴とするガスコンロ。
【発明の効果】
【０００８】
このような特徴を有する本発明のガスコンロは、炎孔部を天板と面一の状態に収納して五徳を取り外すことで、天板を平面化することができ、清掃の容易性と外観性を改善することができる。また使用時には、天板上に炎孔部を突出させることで直火加熱の加熱効率を高めることができ、炎孔を後方に向けることで、燃焼排気の拡散を防ぎ、ガスコンロの使用環境を悪化させること無く、良好な使用快適性を得ることができる。
【図面の簡単な説明】
【０００９】
【図１】本発明の一実施形態に係るガスコンロを示した説明図である（（ａ）が平面図であり、（ｂ）が部分断面図である。）。
【図２】バーナーの炎孔部の一例を示しており、これを後方側からみた説明図である。
【図３】本発明の実施形態に係るガスコンロの炎孔部収納状態及び五徳の着脱状態を示した説明図である（（ａ）が平面図であり、（ｂ）が部分断面図である。）。
【図４】五徳の格納状態を示した説明図である。
【発明を実施するための形態】
【００１０】
以下、図面を参照しながら、本発明の実施形態を説明する。図１は本発明の一実施形態に係るガスコンロを示した説明図である（（ａ）が平面図であり、（ｂ）が部分断面図である。）。なお、本明細書、図面、特許請求の範囲における「前」又は「前方」とは、ガスコンロに対してその使用者が立つ側を指し、「後」又は「後方」とは、ガスコンロにおける「前」又は「前方」と対向する側を指す。また、「左」，「右」とは使用者がガスコンロに向いた状態での左右を指している。
【００１１】
ガスコンロ１は、天板２、バーナー３、五徳４を備える。天板２は、平板状であり、本体１０の上部を構成している。天板２は、耐熱性の材料、例えば、ジュラルミンなどで形成することができる。バーナー３は、天板２に突出した炎孔部３０を備え、炎孔部３０に混合ガスを供給する燃料供給部３１を備えている。燃料供給部３１はガスノズル５から噴射される燃料ガスと一次空気とを混合して混合ガスを形成する。炎孔部３０は、天板２のやや前方側に位置して、天板２の後方側に向いた炎孔３０Ａを有する。炎孔部３０には、炎孔３０Ａが開口した側に必要に応じて立ち消え温度センサ３２を設けることができる。なお、バーナー３には、一般的なガスコンロのバーナーが備える点火装置やバルブ機構を付加することができる。
【００１２】
図２は、バーナー３の炎孔部３０の一例を示しており、これを後方側からみた図である。炎孔部３０には、後方に向けて混合ガスを出射するスリット状の炎孔３０Ａを複数備えている。また、炎孔３０Ａの上部には、空気流路３０Ｂが形成され、その上に被加熱物の底面部を支持する支持面３０Ｃ１を有する支持部３０Ｃが設けられている。炎孔３０Ａの上部にはスペーサ３０Ｂ１を介して支持部３０Ｃを設けることで、支持部３０Ｃの下に空気流路３０Ｂが形成されている。
【００１３】
五徳４は、図１に示すように、炎孔３０Ａより天板２の後方側に位置して天板２の前後に延設され、炎孔３０Ａから出射する混合ガスに点火した火炎の燃焼排気を天板２の後方側に導く対向した側面４０Ａを有する左右一対の五徳体４０を備える。五徳体４０は、流線状に湾曲した側面４０Ａを有すると共に、鍋などの被加熱物Ｗの底面部Ｗｔを支持する平面状の支持面４０Ｂを備えている。
【００１４】
図３は、本発明の実施形態に係るガスコンロの炎孔部収納状態及び五徳の着脱状態を示した説明図である（（ａ）が平面図であり、（ｂ）が部分断面図である。）。ガスコンロ１は、図３（ｂ）に示すように、炎孔部３０の支持部３０Ｃが天板２と面一の状態で収納自在であり、五徳４（五徳体４０）が炎孔部３０の後方における天板２の設定位置に着脱自在に取り付けられている。
【００１５】
具体的には、天板２は非磁性体の材料（例えばジュラルミンなど）で形成されており、五徳４を取り付ける設定位置に磁性体２０が設置されている。また、五徳体４０，４２には、磁性体２０に吸着する磁石４３が設置されている。これによって、五徳４は天板２の設定された位置に固定することができ、また、五徳４を天板２から簡易に取り外すことができる。図３（ａ）に示すように、五徳４は、左右一対の五徳体４０に対して、被加熱物の底面部中央を支持する五徳体４２を追加して備えることができる。この五徳体４２は、燃焼排気の後方への流れを阻害しない流線形の側面を有している。
【００１６】
このようなガスコンロ１は、天板２から五徳４を取り外して、バーナー３の炎孔部３０を収納して、炎孔部３０の支持部３０Ｃを天板２と面一にすることで、天板２上を平面化することができる。このように、非使用時に天板２上を平面化することで、天板２上の清掃を簡易に行うことができる。また、天板２のフラット化によって非使用時の美観を向上させることができる。
【００１７】
また、ガスコンロ１は、図３（ａ）に示すように、左右一対の五徳体４０が、平面視が湾曲形状であり、平面視外向き凸の取り付け状態と平面視内向き凸の取り付け状態を置換できるように、２点で天板２の設定位置に取り付けられている。このように一対の五徳体４０を固定すると、五徳体４０を図示の実線で示した平面視外向き凸の湾曲状態で取り付けることで、比較的外径の大きい底面部Ｗｔ（１）を安定的に支持することが可能になり、五徳体４０を図示の一点破線で示した平面視内向き凸の湾曲状態で取り付けることで、比較的外径の小さい底面部Ｗｔ（２）を安定的に支持することが可能になる。このように、ガスコンロ１は、一組の五徳体４０で底面部の外径が異なる被加熱物を安定的に支持することが可能になる。
【００１８】
ガスコンロ１は、図１に示すように、天板２上に突出した炎孔部３０の支持面３０Ｃ１と一対の五徳体４０の支持面４０Ｂとで被加熱物Ｗの底面部Ｗｔを支持している。炎孔部３０の炎孔３０Ａは、天板２の左右に直線的に配列されており、一対の五徳体４０の前端間に配置されている。
【００１９】
炎孔部３０の支持面３０Ｃ１と一対の五徳体４０の支持面４０Ｂに被加熱物Ｗの底面部Ｗｔを支持した状態では、被加熱物Ｗの底面部Ｗｔと五徳体４０の側面４０Ａと平板状の天板２で囲まれた空間が形成されることになり、その空間の前方側に炎孔３０Ａが配置されている。これによって、前述した空間が炎孔３０Ａに形成される火炎の燃焼排気を後方に流す流路を形成することになり、燃焼排気をガスコンロ１の周囲に拡散させず後方に集めることが可能になる。また、炎孔部３０と一対の五徳体４０の前端との間には間隙Ｓが形成されている。この間隙Ｓは、前述した空間に二次空気を流入させるためのものであり、炎孔３０Ａから出射する混合ガスによる引き込み効果で間隙Ｓから二次空気が前述した空間内に流入する。
【００２０】
また、炎孔部３０の支持面３０Ｃ１と一対の五徳体４０の支持面４０Ｂに被加熱物Ｗの底面部Ｗｔを支持した状態では、底面部Ｗｔと支持面３０Ｃ１，４０Ｂとの密着によって、火炎が炎孔部３０や五徳体４０の外側に溢れるのを遮蔽することができる。これによってガスコンロ１の前方又は側方からは火炎が見えない状態になり、火炎からの輻射熱を効果的に遮蔽することが可能になる。
【００２１】
ガスコンロ１は、図１に示すように、炎孔部３０の支持部３０Ｃと一対の五徳体４０が天板２から一定高さの支持面３０Ｃ１，４０Ｂを備え、一対の五徳体４０の後端間には、燃焼排気を天板２の後方側に送る開放口４１が形成されている。このような構成を備えることで、前述した空間を経由した燃焼排気が開放口４１を通って天板２の後方側に集中的に排気されることになる。
【００２２】
図４は、五徳４として採用される各五徳体４０，４２の格納状態を示した説明図である。五徳４は天板２に対して着脱自在であるため、これを天板２から取り外した際には、まとめて格納することが好ましい。前述した実施形態では各五徳体４０，４２は磁石４３を備えているので、この磁石４３の吸着力を利用して取り外した五徳体４０，４２を一体に纏めることができる。この際、五徳体４０は一方の外側面が一方の内側面と一部で同一の湾曲面を有しており、五徳体４０と五徳体４２はその内側面と外側面が一部で同一の湾曲面を有している。これによって図示のようにコンパクトに纏めた状態で吸着保持することが可能になる。
【００２３】
以上説明したように、本発明の実施形態に係るガスコンロ１は、炎孔部３０の収納や五徳４を着脱自在にすることで、平板状の天板２により清掃の容易性と良好な外観性確保が可能になる。また、炎孔３０Ａから出射する混合ガスに点火した火炎の燃焼排気を天板２の後方側に集中排気することができるので、ガスコンロ１の使用環境を悪化させること無く、使用快適性を向上させることができる。
【００２４】
特に、本発明の実施形態に係るガスコンロ１は、後方向きに火炎を形成する炎孔３０Ａを有する炎孔部３０に支持部３０Ｃが設けられ、その支持面３０Ｃ１に被加熱物Ｗの底面部Ｗｔが支持されるので、前方に向かう火炎を遮蔽した状態で被加熱物Ｗを加熱することができる。これによって、ガスコンロ１の前方側に立つ使用者に火炎の輻射熱や燃焼排気が向かうことを効果的に抑止でき、良好な使用快適性を得ることができる。
【００２５】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２６】
１：ガスコンロ，２：天板，２０：磁性体，
３：バーナー，３０：炎孔部，
３０Ａ：炎孔，３０Ｂ：空気流路，３０Ｃ：支持部，３０Ｃ１：支持面，
３１：燃料供給部，３２：立ち消え温度センサ，
４：五徳，４０，４２：五徳体，４０Ａ：側面，４０Ｂ：支持面，
４１：開放口，４３：磁石，
Ｓ：間隙，Ｗ：被加熱物，Ｗｔ：底面部
【図１】
2015124916.tif 000003
【図２】
2015124916.tif 000004
【図３】
2015124916.tif 000005
【図４】
2015124916.tif 000006